(57)【要約】【課題】  製造が簡単で製造コストを安く抑えることができるとともに、装着が簡単なメガネを提供する。【解決手段】  互いに対向して設けられる一対の支持板３、４と、両支持板３、４の一端部間を相対的に回動自在に連結するとともに、両支持板３、４の他端部間を互いに接近する方向に付勢する連結手段６と、各支持板３、４に設けられる鼻当て手段１６とからなるメガネフレーム２と、各支持板３、４に設けられる老眼用レンズ１９とを備えてなる。連結手段６は、一対の支持板３、４の一端部間に設けられる支持部材７と、支持部材７に支持されるとともに、一端が一方の支持板３の一端部に固定され、他端が他方の支持板４の一端部に固定されるねじりコイルばね１２とからなる。【選択図】        図４
2005181425.tif 000002
【特許請求の範囲】
【請求項１】
互いに対向して設けられる一対の支持板と、両支持板の一端部間を相対的に回動自在に連結するとともに、両支持板の他端部間を互いに接近する方向に付勢する連結手段と、前記各支持板に設けられる鼻当て手段とからなるメガネフレームと、前記各支持板の一部に設けられるレンズとを備えてなることを特徴とするメガネ。
【請求項２】
前記連結手段は、前記一対の支持板の一端部間に設けられる支持部材と、支持部材に支持されるとともに、一端が前記一方の支持板の一端部に固定され、他端が他方の支持板の一端部に固定されるねじりコイルばねとからなる請求項１に記載のメガネ。
【請求項３】
前記鼻当て手段は、前記両支持板の一端部の内面側にそれぞれ固定されて、両支持板と一体に回動する一対の弾性材からなる請求項１又は２に記載のメガネ。
【請求項４】
前記両支持板は湾曲板状に形成されている請求項１から３の何れかに記載のメガネ。
【発明の詳細な説明】
【技術分野】
【０００１】
本発明は、メガネに関し、特に、老眼鏡として有効なメガネに関するものである。
【背景技術】
【０００２】
老眼鏡の一例として、一対のハーフリムと、両ハーフリムの内縁部間を連結するブリッジと、各ハーフリムの外縁部に蝶番を介して回動自在に連結されるテンプル（ツル）と、各ハーフリムの内縁部に一体に設けられるノーズパッドとを備えたメガネフレームと、メガネフレームの各ハーフリムの内側に装着される半円形状の老眼用レンズとを備えたものが知られている（例えば、特許文献１参照。）。
【０００３】
このような構成の老眼鏡は、顔に装着してテンプルを耳に掛け、ノーズパッドを鼻の側面に当てることにより、顔の所定の位置に位置決めすることができ、各老眼用レンズを通して新聞や雑誌等の文字を見ることができるというものである。
【特許文献１】特開２０００−４７１４３号公報
【発明の開示】
【発明が解決しようとする課題】
【０００４】
ところで、上記のような構成の老眼鏡にあっては、レンズを保持するメガネフレームが、ハーフリム、ブリッジ、蝶番、テンプル、ノーズパッド等の複数の部品から構成されているため、メガネフレームの製造に手間がかかってしまい、製造コストが高くつき、製品としての価格が高くなってしまう。また、上記のような構成の老眼鏡を顔に装着するには、両テンプルを開いて両テンプルを耳に掛け、ノーズパッドを鼻の側面に当てる必要があるので、装着に手間がかかってしまい、特に、高齢者にとって体への負担が大きいものである。
【０００５】
本発明は、上記のような従来のもののもつ問題を解決したものであって、部品点数を少なくすることができ、これにより製造を容易にして製造コストを低減させ、製品としての価格を安く抑えることができるメガネを提供することを目的とするものである。また、顔への装着が容易であって、高齢者の体への負担を少なくすることができるメガネを提供することを目的とするものである。
【課題を解決するための手段】
【０００６】
上記のような課題を解決するために、本発明の請求項１に係るメガネは、互いに対向して設けられる一対の支持板と、両支持板の一端部間を相対的に回動自在に連結するとともに、両支持板の他端部間を互いに接近する方向に付勢する連結手段と、前記各支持板に設けられる鼻当て手段とからなるメガネフレームと、前記各支持板の一部に設けられるレンズとを備えてなる手段を採用している。
また、請求項２に係るメガネは、請求項１に記載のメガネであって、前記連結手段は、前記一対の支持板の一端部間に設けられる支持部材と、支持部材に支持されるとともに、一端が前記一方の支持板の一端部に固定され、他端が他方の支持板の一端部に固定されるねじりコイルばねとからなる手段を採用している。
さらに、請求項３に係るメガネは、請求項１又は２に記載のメガネであって、前記鼻当て手段は、前記両支持板の一端部の内面側にそれぞれ固定されて、両支持板と一体に回動する一対の弾性材からなる手段を採用している。
さらに、請求項４に係るメガネは、請求項１から３の何れかに記載のメガネであって、前記両支持板は湾曲板状に形成されている手段を採用している。
【発明の効果】
【０００７】
本発明は、前記のように構成したことにより、一対の支持板の一端部間を連結手段（支持部材及びねじりコイルばね）により相対的に回動自在に連結するとともに、連結手段（支持部材及びねじりコイルばね）により両支持板の他端部間を互いに接近する方向に付勢し、さらに各支持板に鼻当て手段（弾性部材）を設けることによりメガネフレームを構成することができる。そして、メガネフレームを構成する各支持板にレンズを一体に設けることによりメガネを構成することができることになる。従って、メガネの構成部品を少なくすることができるとともに、メガネの製造が容易となるので、製造コストを低減させることができ、製品としての価格を安く抑えることができ、安価なものを提供することができる。さらに、顔に装着する場合には、一対の支持板の他端部間をねじりコイルばねの付勢力に抗して押し広げるだけで良いので、顔への装着が容易となり、高齢者の体への負担を軽減させることができる。
【発明を実施するための最良の形態】
【０００８】
以下、図面に参照しつつ、本発明の実施の形態について説明する。
図１〜図４には、本発明によるメガネの一実施の形態が示されていて、このメガネ１は、メガネフレーム２と、メガネフレーム２に設けられる一対の老眼用レンズ１９、１９とを備えている。
【０００９】
メガネフレーム２は、図１に示すように、一対の支持板３、４と、両支持板３、４の一端部間を相対的に回動自在に連結するとともに、両支持板３、４の他端部間を互いに接近する方向に付勢する連結手段６と、各支持板３、４に設けられる鼻当て手段１６とから構成されている。
【００１０】
各支持板３、４は、各種の透明、半透明、有色の合成樹脂を素材として形成される板状をなすものであって、長手方向の一端から他端にかけて所定の曲率で湾曲する湾曲板状に形成されている。
【００１１】
各支持板３、４は、顔の前面から側面に行き渡る長さ、すなわち、長手方向の一端部が目の前方に位置し、他端部が顔の側面の耳近傍に位置する長さに形成されている。各支持板３、４の長手方向の他端部にはゴム、合成樹脂等の弾性材からなるクッション材５がそれぞれ設けられている。
【００１２】
連結手段６は、両支持板３、４の一端部間に設けられる支持部材７と、支持部材７に支持されるとともに、一端部が一方の支持板３の長手方向の一端部に固定され、他端部が他方の支持板４の長手方向の一端部に固定されるねじりコイルばね１２とを有している。
【００１３】
支持部材７は、円板状の頭部９と、頭部９の下面中央部に一体に設けられるとともに、先端部周面にねじが螺設される丸棒状の脚部１０とからなる支持軸８と、支持軸８の脚部１０の先端部に螺着されるナット１１とを有し、両支持板３、４間に支持軸８の軸線が垂直方向を向くように設けられている。
【００１４】
ねじりコイルばね１２は、支持軸８の脚部１０の周囲に巻回されるコイル部１３と、コイル部１３の一端から引き延ばされて一方の支持板３の長手方向の一端部に固定される一方の腕部１４と、コイル部１３の他端から引き延ばされて他方の支持板４の長手方向の一端部に固定される他方の腕部１５とから構成されている。
【００１５】
一方の腕部１４は、一方の支持板３の長手方向の一端部に設けられる上下一対の貫通孔を介して一方の支持板３に固定されている。すなわち、一方の腕部１４は、コイル部１３の一端を引き延ばして、一方の支持板３の一端部の上側の貫通孔を内面側から外面側に貫通させて、一方の支持板３の外方に所定の長さ突出させ、その突出させた部分をコ形状に屈曲させ、屈曲させた部分の先端部を一方の支持板３の一端部の下側の貫通孔を外面側から内面側に貫通させることにより、一方の支持板３の長手方向の一端部に固定したものである。
【００１６】
他方の腕部１５は、他方の支持板４の長手方向の一端部に設けられる上下一対の貫通孔を介して他方の支持板４に固定されている。すなわち、他方の腕部１５は、コイル部１３の他端を引き延ばして、他方の支持板４の一端部の下側の貫通孔を内面側から外面側に貫通させて、他方の支持板４の外方に所定の長さ突出させ、その突出させた部分をコ形状に屈曲させて、屈曲させた部分の先端部を他方の支持板４の一端部の上側の貫通孔を外面側から内面側に貫通させることにより、他方の支持板４の長手方向の一端部に固定したものである。
【００１７】
そして、上記のような構成の連結手段６により一方の支持板３の一端部と他方の支持板４の一端部とを連結することにより、両支持板３、４が支持部材７の支持軸８の軸線を中心として相対的に回動自在となるとともに、両支持板３、４がねじりコイルばね１２の付勢力により長手方向の他端部が接近する方向に付勢され、両支持板３、４の長手方向の他端部同士が互いに当接することになる。
【００１８】
また、一方の腕部１４と他方の腕部１５とを手で掴んで、両腕部１４、１５を間隔を狭める方向に押圧することにより、両支持板３、４が支持部材７の支持軸８を中心として同一方向に回動して、両支持板３、４の他端部間を開放させることができるものである。
【００１９】
各支持板３、４の連結手段６側に位置する部分には、それぞれ老眼用レンズ１９が一体に設けられている。この場合、老眼用レンズ１９は、各支持板３、４と一体に形成しても良いし、別体に形成して各支持板３、４に適宜の手段により取り付けるようにしても良い。
【００２０】
各支持板３、４の長手方向の一端部の各腕部１４、１５の下側の部位には、鼻当て手段１６がそれぞれ設けられている。鼻当て手段１６は、各支持板３、４の長手方向の一端部の各腕部１４、１５の下側に設けられる上下一対の貫通孔に、各支持板３、４の外面側から挿着されるコ形状の支持金具１７と、支持金具１７の各支持板３、４の内面側に突出する部分に挿着されるゴム、合成樹脂等の弾性材からなるＵ形状の鼻当て部１８とから構成されている。
【００２１】
そして、上記のように構成したメガネ１のねじりコイルばね１２の両腕部１４、１５を手で掴んで間隔を狭める方向に押圧し、両支持板３、４の他端部間を開放させ、図４に示すように、両支持板３、４を顔の前面から側面に位置させ、両鼻当て部１８、１８を鼻の側面に当接させ、両腕部１４、１５から手を離すことにより両支持板３、４を顔の所定の位置に位置決めする。そして、このようにメガネ１を顔の所定の位置に装着することにより、メガネ１の老眼用レンズ１９、１９を介して新聞や雑誌等の文字を見ることができるものである。
【００２２】
上記のように構成したこの実施の形態によるメガネ１にあっては、一対の支持板３、４と、各支持板３、４に設けられる老眼用レンズ１９と、両支持板３、４の一端部間を相対的に回動自在に連結するとともに、両支持板３、４の他端部間を互いに接近する方向に付勢する連結手段６とからなるものであるので、部品点数を少なくすることができるとともに、製造が容易で製造コストを低減させることができる。従って、製品としての価格を安く抑えることができるので、安価なものを提供することができる。また、顔に装着する場合には、両腕部１４、１５を手で掴んで、両腕部１４、１５間をねじりコイルばね１２の付勢力に抗して押し縮めて、両支持板３、４の他端部間を広げるだけで良いので、顔への装着が容易となり、高齢者の体への負担を軽減させることができる。
【００２３】
なお、前記の説明においては、老眼用レンズ１９を使用した場合について説明したが、その他の矯正レンズ、紫外線除去レンズ等を使用しても良いものであり、その場合にも同様の効果を奏するのは勿論のことである。
【図面の簡単な説明】
【００２４】
【図１】本発明によるメガネの一実施の形態を示した斜視図である。
【図２】図１に示すメガネの内面側の部分拡大図であって、両支持板の他端部間を閉じた状態の内面側の部分拡大図である。
【図３】図１に示すメガネの内面側の部分拡大図であって、両支持板の他端部間を開いた状態の内面側の部分拡大図である。
【図４】図１に示すメガネを顔に装着した状態を示した説明図である。
【符号の説明】
【００２５】
１  メガネ
２  メガネフレーム
３、４  支持板
５  クッション材
６  連結手段
７  支持部材
８  支持軸
９  頭部
１０  脚部
１１  ナット
１２  ねじりコイルばね
１３  コイル部
１４、１５  腕部  
１６  鼻当て手段
１７  支持金具
１８  鼻当て部
１９  老眼用レンズ
【図１】
2005181425.tif 000003
【図２】
2005181425.tif 000004
【図３】
2005181425.tif 000005
【図４】
2005181425.tif 000006